【手続補正書】
【提出日】平成25年3月19日(2013.3.19)
【手続補正１】
【補正対象書類名】特許請求の範囲
【補正対象項目名】全文
【補正方法】変更
【補正の内容】
【特許請求の範囲】
【請求項１】
式３： 
【化１】
2010254993.tif 000001
［式中、
Ｘは、ＯまたはＳであり；
Ｒ1、Ｒ2、Ｒ3、およびＲ4は独立して、Ｈ、ハロゲン、アルキル、アルコキシ、アリールオキシ、チオール、アルキルチオール、アリールチオール、アジド、アミノ、ヒドロキシ、スルホニル、ホスホニル、ボロン酸、または、それ自体が任意選択で、ハロゲン、アミノ、ヒドロキシ、スルホニル、ホスホニル、カルボニル、もしくはボロン酸により１回もしくは複数回置換されているアルキルまたはアルコキシであり、
Ｒ10、Ｒ11、およびＲ12は独立して、Ｈ、ハロゲン、アルキル、アルコキシ、アリールオキシ、チオール、アルキルチオール、アリールチオール、アジド、アミノ、ヒドロキシ、スルホニル、ホスホニル、ボロン酸、Ｌ−ＲＧ、ＷＳＧ、または、それ自体が任意選択で、ハロゲン、アミノ、ヒドロキシ、スルホニル、ホスホニル、カルボニル、ボロン酸、Ｌ−ＲＧ、もしくはＷＳＧによって１回もしくは複数回置換されているアルキルまたはアルコキシであり；
ＲＧは、アクリルアミド、アミン、カルボン酸、カルボン酸の活性化エステル、アシルアジド、アシルニトリル、アルデヒド、ハロゲン化アルキル、無水物、ハロゲン化アリール、アジド、アジリジン、ボロネート、ジアゾアルカン、ハロアセトアミド、ハロトリアジン、ヒドラジン、ヒドロキシルアミン、イミドエステル、イソチオシアネート、マレイミド、反応性白金錯体、ハロゲン化スルホニル、またはソラレン誘導体である化学反応性基であり；
Ｌは、存在せず、またはアルキル、アルコキシ、チオアルキル、アミノ酸、スルホアミノ酸、ポリアミン、ポリエチレングリコール、アリール、もしくはヘテロアリールである任意選択のリンカーであり；
ＷＳＧは、スルホネート、チオスルフェート、ホスホネート、ボロネート、アンモニウム、ピリジウム、キノリウム、またはアクリジウム基である水溶性基であり；
Ｒ10、Ｒ11、およびＲ12の少なくとも１つはＬ−ＲＧを含有し；
Ｒ10、Ｒ11、およびＲ12の少なくとも１つはＷＳＧである］
の構造を有することを特徴とする、化合物。
【請求項２】
式４： 
【化２】
2010254993.tif 000002
［式中、
Ｘは、ＯまたはＳであり；
Ｒ1、Ｒ2、Ｒ3、およびＲ4は独立して、Ｈ、ハロゲン、アルキル、アルコキシ、アリールオキシ、チオール、アルキルチオール、アリールチオール、アジド、アミノ、ヒドロキシ、スルホニル、ホスホニル、ボロン酸、または、それ自体が任意選択で、ハロゲン、アミノ、ヒドロキシ、スルホニル、ホスホニル、カルボニル、もしくはボロン酸により１回もしくは複数回置換されているアルキルまたはアルコキシであり、
Ｒ10およびＲ11は独立して、Ｈ、ハロゲン、アルキル、アルコキシ、アリールオキシ、チオール、アルキルチオール、アリールチオール、アジド、アミノ、ヒドロキシ、スルホニル、ホスホニル、ボロン酸、Ｌ−ＲＧ、ＷＳＧ、または、それ自体が任意選択で、ハロゲン、アミノ、ヒドロキシ、スルホニル、ホスホニル、カルボニル、ボロン酸、Ｌ−ＲＧ、もしくはＷＳＧによって１回もしくは複数回置換されているアルキルまたはアルコキシであり；
ＲＧは、請求項１に定義された化学反応性基であり；
Ｌは、請求項１に定義された任意選択のリンカーであり；
ＷＳＧは、請求項１に定義された水溶性基であり；
Ｒ10およびＲ11の少なくとも１つは、Ｌ−ＲＧを含有し；
Ｒ10およびＲ11の少なくとも１つは、ＷＳＧであり；
Ｒ10およびＲ11の少なくとも１つはスルホネートを含有する］
の構造を有することを特徴とする、請求項１に記載の化合物。
【請求項３】
式５：
【化３】
2010254993.tif 000003
［式中、
Ｘは、ＯまたはＳであり；
Ｒ1、Ｒ2、Ｒ3、およびＲ4は独立して、水素、クロロ、またはフルオロであり；
Ｒ10およびＲ11は独立して、水素、クロロ、フルオロ、またはスルホネートであり；
ＲＧは、請求項１に定義された化学反応性基であり；
Ｌは、請求項１に定義された任意選択のリンカーであり；
ただしＲ10およびＲ11の少なくとも１つはスルホネートである］
の構造を有することを特徴とする、請求項１に記載の化合物。
【請求項４】
ＲＧは、カルボン酸の活性化エステル、アシルアジド、アシルニトリル、アルデヒド、ハロゲン化アルキル、ハロゲン化アリール、アジド、アジリジン、ハロアセトアミド、ハロトリアジン、アミン、ヒドラジン、ヒドロキシルアミン、イミドエステル、イソチオシアネート、またはマレイミドであることを特徴とする、請求項３に記載の化合物。
【請求項５】
Ｌは、存在せず、または３〜２０個の炭素原子を有するアルキル、アルコキシ、チオアルキル、アミノ酸、スルホアミノ酸、ポリアミン、もしくはポリエチレングリコールであることを特徴とする、請求項３または４に記載の化合物。
【請求項６】
式６： 
【化４】
2010254993.tif 000004
［式中、
Ｒ1、Ｒ2、Ｒ3、およびＲ4は独立して、水素、クロロ、またはフルオロであり；
Ｒ10およびＲ11は独立して、水素、クロロ、フルオロ、またはスルホネートであり；
ＲＧは、請求項１に定義された化学反応性基であり；
Ｌは、存在せず、またはアルキル、アルコキシ、チオアルキル、アミノ酸、スルホアミノ酸、ポリアミン、ポリエチレングリコール、アリール、アリールアルキル、もしくはヘテロアリールである任意選択のリンカーであり；
ただしＲ10およびＲ11の少なくとも１つはスルホネートである］
の構造を有することを特徴とする、請求項１に記載の化合物。
【請求項７】
ＲＧは、カルボン酸の活性化エステル、アシルアジド、アシルニトリル、アルデヒド、ハロゲン化アルキル、ハロゲン化アリール、アジド、アジリジン、ハロアセトアミド、ハロトリアジン、アミン、ヒドラジン、ヒドロキシルアミン、イミドエステル、イソチオシアネート、またはマレイミドであることを特徴とする、請求項６に記載の化合物。
【請求項８】
式７： 
【化５】
2010254993.tif 000005
［式中、
Ｒ3およびＲ4は独立して、水素、クロロ、またはフルオロであり；
Ｒ10およびＲ11は独立して、水素、クロロ、フルオロ、またはスルホネートであり；
ｎは、１〜１０の整数であり；
ただしＲ10およびＲ11の少なくとも１つはスルホネートである］
の構造を有することを特徴とする、請求項１に記載の化合物。
【請求項９】
式１１：
【化６】
2010254993.tif 000006
［式中、
Ｘは、ＯまたはＳであり；
Ｒ1、Ｒ2、Ｒ3、およびＲ4は独立して、Ｈ、ハロゲン、アルキル、アルコキシ、アリールオキシ、チオール、アルキルチオール、アリールチオール、アジド、アミノ、ヒドロキシ、スルホニル、ホスホニル、ボロン酸、または、それ自体が任意選択で、ハロゲン、アミノ、ヒドロキシ、スルホニル、ホスホニル、カルボニル、もしくはボロン酸により１回もしくは複数回置換されているアルキルまたはアルコキシであり、
Ｒ10、Ｒ11、およびＲ12は独立して、Ｈ、ハロゲン、アルキル、アルコキシ、アリールオキシ、チオール、アルキルチオール、アリールチオール、アジド、アミノ、ヒドロキシ、スルホニル、ホスホニル、ボロン酸、ＷＳＧ、または、それ自体が任意選択で、ハロゲン、アミノ、ヒドロキシ、スルホニル、ホスホニル、カルボニル、ボロン酸、もしくはＷＳＧによって１回もしくは複数回置換されているアルキルまたはアルコキシであり；
ＷＳＧは、スルホネート、チオスルフェート、ホスホネート、ボロネート、アンモニウム、ピリジウム、キノリウム、またはアクリジウム基である水溶性基であり；
ｎは、１〜３５の整数であり；
ＳＵＢは、バイオポリマーまたは抗体である基質であり；
Ｒ10、Ｒ11、およびＲ12の少なくとも１つは、任意選択のリンカーＬを介してＳＵＢに共有結合されており、ここで、Ｌは、存在せず、またはアルキル、アルコキシ、チオアルキル、アミノ酸、スルホアミノ酸、ポリアミン、ポリエチレングリコール、アリール、もしくはヘテロアリールであり；
Ｒ10、Ｒ11、およびＲ12の少なくとも１つはＷＳＧである］
の構造を有することを特徴とする、色素複合体。
【請求項１０】
式１２： 
【化７】
2010254993.tif 000007
［式中、
Ｘは、ＯまたはＳであり；
Ｒ1、Ｒ2、Ｒ3、およびＲ4は独立して、Ｈ、ハロゲン、アルキル、アルコキシ、アリールオキシ、チオール、アルキルチオール、アリールチオール、アジド、アミノ、ヒドロキシ、スルホニル、ホスホニル、ボロン酸、または、それ自体が任意選択で、ハロゲン、アミノ、ヒドロキシ、スルホニル、ホスホニル、カルボニル、もしくはボロン酸により１回もしくは複数回置換されているアルキルまたはアルコキシであり、
Ｒ10およびＲ11は独立して、Ｈ、ハロゲン、アルキル、アルコキシ、アリールオキシ、チオール、アルキルチオール、アリールチオール、アジド、アミノ、ヒドロキシ、スルホニル、ホスホニル、ボロン酸、ＷＳＧ、または、それ自体が任意選択で、ハロゲン、アミノ、ヒドロキシ、スルホニル、ホスホニル、カルボニル、ボロン酸、もしくはＷＳＧによって１回もしくは複数回置換されているアルキルまたはアルコキシであり；
ＷＳＧは、請求項９に定義された水溶性基であり；
ｎは、１〜３５の整数であり；
ＳＵＢは、請求項９に定義された基質であり；
Ｒ10およびＲ11の少なくとも１つは、請求項９に定義された任意選択のリンカーＬを介してＳＵＢに共有結合されており；
Ｒ10およびＲ11の少なくとも１つはＷＳＧであり；
Ｒ10およびＲ11の少なくとも１つはスルホネートを含有する］
を有することを特徴とする、請求項９に記載の色素複合体。
【請求項１１】
式１３： 
【化８】
2010254993.tif 000008
［式中、
Ｘは、ＯまたはＳであり；
Ｒ1、Ｒ2、Ｒ3、およびＲ4は独立して、水素、クロロ、またはフルオロであり；
Ｒ10およびＲ11は独立して、水素、クロロ、フルオロ、またはスルホネートであり；
Ｌは請求項９に定義された任意選択のリンカーであり；
ＳＵＢは請求項９に定義された基質であり；
ただしＲ10およびＲ11の少なくとも１つはスルホネートである］
を有することを特徴とする、請求項９に記載の色素複合体。
【請求項１２】
Ｌは、存在せず、または３〜２０個の炭素原子を有するアルキル、アルコキシ、チオアルキル、アミノ酸、スルホアミノ酸、ポリアミン、もしくはポリエチレングリコールであることを特徴とする、請求項１１に記載の色素複合体。
【請求項１３】
サンプル中の分析物を検出する方法であって、
ａ）前記サンプルと、請求項９から１２のいずれか一項に記載の色素複合体を含む検出試薬とを、前記検出試薬が前記分析物と錯体を形成する条件下で組み合わせるステップと、
ｂ）前記錯体を検出するステップと
を含むことを特徴とする方法。
【請求項１４】
式３、式４、式５、式６、または式７の構造を有する少なくとも反応性色素化合物を含むことを特徴とするキット。
【請求項１５】
式１１、式１２、または式１３の構造を有する少なくとも色素複合体を含むことを特徴とするキット。
【請求項１６】
下式の構造を有することを特徴とする、請求項１に記載の化合物。
【化９】
2010254993.tif 000009